(57)【要約】【課題】使用シーンを容易に広げることや、使い勝手を向上させることが可能な電子ペンを提供する。【解決手段】電子ペン１は、先端が押圧されることにより信号を出力するペン本体２と、ペン本体２の先端とは反対側の後端側に着脱自在に取り付けられ、先端と反対方向に延出するアタッチメント３とを備え、アタッチメント３は、ペン本体２に着脱自在な連結部４と、連結部４に着脱自在なアーム部７とを備える。【選択図】図２
2014038530.tif 000002
【特許請求の範囲】
【請求項１】
先端の押圧によって信号の出力状態が変化するペン本体と、
前記ペン本体の前記先端とは反対側の後端側に着脱自在に取り付けられ、前記先端と反対方向に延出するアタッチメントと、
を備えることを特徴とする電子ペン。
【請求項２】
請求項１に記載の電子ペンであって、
前記アタッチメントは、
前記ペン本体に着脱自在な連結部と、
前記連結部に着脱自在なアーム部と、
を備えることを特徴とする電子ペン。
【請求項３】
請求項２に記載の電子ペンであって、
前記ペン本体は、当該ペン本体の外部から係合可能な被係合部を有し、
前記連結部は、前記被係合部に係合する係合部を有していることを特徴とする電子ペン。
【請求項４】
請求項３に記載の電子ペンであって、
前記連結部は、
前記ペン本体の後端側が挿入され、前記係合部を有する第１接続部と、
前記第１接続部が挿入される第２接続部と、
を備え、
前記係合部は、前記ペン本体に対する前記第１接続部の移動により前記被係合部に係合し、
前記第２接続部は、前記ペン本体に対する移動により前記第１接続部に係合して前記第１接続部の移動を規制することを特徴とする電子ペン。
【請求項５】
請求項２〜請求項４のいずれか一項に記載の電子ペンであって、
前記アーム部は、前記連結部に着脱自在な第１アーム、および前記第１アームに着脱可能な第２アームを有し、
前記第２アームは、前記連結部に着脱自在に構成されていることを特徴とする電子ペン。
【請求項６】
請求項２〜請求項５のいずれか一項に記載の電子ペンであって、
前記ペン本体は、当該ペン本体に対する操作を受け付ける操作部を備え、
前記連結部は、前記ペン本体に装着された状態で前記操作部を露出させるように形成されていることを特徴とする電子ペン。
【発明の詳細な説明】
【技術分野】
【０００１】
本発明は、電子ペンに関する。
【背景技術】
【０００２】
従来、プロジェクター等によってホワイトボード等の投写面に投写された画像に対して、図形や文字等を重ねて表示できるように、電子ペンを備えたシステムが知られている。このような電子ペンを備えたシステムは、電子ペンから発せられる信号を、例えば、プロジェクターが検知する。そして、プロジェクターが元の画像情報に信号の発信位置の軌跡に関する情報を重ねて投写することによって、投写面には、画像情報に電子ペンの軌跡が重なった重畳画像が投写される。
この電子ペンとして、筆記する際に用いられるペンに模した形状を有するものが提案されている（例えば、特許文献１参照）。
【０００３】
特許文献１に記載の電子ペンは、操作者に把持されて投写面に先端が押圧されることによって、先端に配設されている部材が傾倒することにより赤外線を発するように構成されている。
【０００４】
また、投写面から離れた位置から操作可能な発信器付指し棒を備えたシステムが提案されている（例えば、特許文献２参照）。
特許文献２に記載の発信器付指し棒は、超音波を発信する超音波発信部および赤外線を発光する赤外線発光部を備えた発信器が先端近傍に設けられ、超音波発信部と赤外線発光部のオンオフは発信器付指し棒の手元のスイッチで操作するように構成されている。
【先行技術文献】
【特許文献】
【０００５】
【特許文献１】特開２０１１−５９７６８号公報
【特許文献２】特開２００６−１９７１０５号公報
【発明の概要】
【発明が解決しようとする課題】
【０００６】
しかしながら、特許文献１に記載の電子ペンにおいては、操作者が投写面等に模式的に筆記する際、画像の観察者の位置によっては、操作者が陰になってしまい投写される画像や操作者の操作状況が見えなくなってしまうという課題がある。
また、特許文献２に記載の発信器付指し棒では、手元のスイッチの操作や把持する仕方に制約が生じることによって文字等の細かい書き込みが難しいことや、投写面に近い位置から操作する場合においては、長すぎて操作しづらくなってしまうという課題がある。また、手元にスイッチが配設されているため、先端に配設された発信器とスイッチとを接続する配線が煩雑で構造が複雑になってしまうという課題がある。
【課題を解決するための手段】
【０００７】
本発明は、上述の課題の少なくとも一部を解決するためになされたものであり、以下の形態または適用例として実現することが可能である。
【０００８】
［適用例１］本適用例に係る電子ペンは、先端の押圧によって信号の出力状態が変化するペン本体と、前記ペン本体の前記先端とは反対側の後端側に着脱自在に取り付けられ、前記先端と反対方向に延出するアタッチメントと、を備えることを特徴とする。
【０００９】
この構成によれば、電子ペンは、着脱自在に構成されたアタッチメントを備えているので、例えば、プロジェクターによって投写面に投写される画像に対して、図形や文字等を重ねて表示させるシステムにおいて、使用シーンを容易に広げることや、使い勝手を向上させる電子ペンの提供が可能となる。すなわち、投写面に近い位置で電子ペンを操作するようなシーンにおいては、アタッチメントが装着されていない状態で電子ペンを使用し、投写面に近い位置での操作では画像の観察者から見て電子ペンの操作者が陰になってしまうようなシーン等では、アタッチメントが装着された状態で投写面から離れて電子ペンを使用することが容易に可能となる。
また、電子ペンは、ペン本体の先端が押圧されることによって、信号の出力状態が変化するので、アタッチメントの把持の仕方に制約がなく文字等の細かな書き込みが可能となる。また、アタッチメントに操作部を配設する必要が無いので、ペン本体とアタッチメントとの間に電気的な接続が不要となり、アタッチメントを簡素な構造で形成することが可能となる。
【００１０】
［適用例２］上記適用例に係る電子ペンにおいて、前記アタッチメントは、前記ペン本体に着脱自在な連結部と、前記連結部に着脱自在なアーム部と、を備えることが好ましい。
【００１１】
この構成によれば、アタッチメントは上述したように構成されているので、連結部にアーム部が接続されるための構造を盛り込むことができる。そして、連結部がペン本体に着脱自在となる構成として、例えば、ペン本体に設けられている凹凸を利用して連結部がこの凹凸に係合する構成や、連結部がペン本体を挟持する状態と、この状態が開放される状態とが可能となる構成等を採用すれば、ペン本体形状の制約の抑制を図って、アタッチメントがペン本体に着脱可能となる構成が可能となる。したがって、ペン本体の大型化や複雑な形状の抑制が可能となると共に、すでに販売されているペン本体に対しても、容易に接続可能なアタッチメントの提供が図れる。
【００１２】
［適用例３］上記適用例に係る電子ペンにおいて、前記ペン本体は、当該ペン本体の外部から係合可能な被係合部を有し、前記連結部は、前記被係合部に係合する係合部を有していることが好ましい。
【００１３】
この構成によれば、ペン本体に設けられた被係合部、例えば、ストラップ用の孔に連結部の係合部を係合させることができる。これによって、ペン本体にアタッチメントを接続するための形状を盛り込むことなく、また、ペン本体から脱落することなく連結部を確実にペン本体に装着することが可能となる。
【００１４】
［適用例４］上記適用例に係る電子ペンにおいて、前記連結部は、前記ペン本体の後端側が挿入され、前記係合部を有する第１接続部と、前記第１接続部が挿入される第２接続部と、を備え、前記係合部は、前記ペン本体に対する前記第１接続部の移動により前記被係合部に係合し、前記第２接続部は、前記ペン本体に対する移動により前記第１接続部に係合して前記第１接続部の移動を規制することが好ましい。
【００１５】
ここで、移動とは、スライド等によって部材の位置を他に移すことだけでなく、部材を回転させることを含む。
この構成によれば、連結部は上述したように形成されているので、第１接続部および第２接続部を移動することで容易にペン本体への着脱が可能となる。よって、簡素な構成で、また、ペン本体への着脱を容易に操作できる連結部が可能となる。
【００１６】
［適用例５］上記適用例に係る電子ペンにおいて、前記アーム部は、前記連結部に着脱自在な第１アーム、および前記第１アームに着脱可能な第２アームを有し、前記第２アームは、前記連結部に着脱自在に構成されていることが好ましい。
【００１７】
この構成によれば、アーム部は上述したように形成されているので、電子ペンは、アタッチメントが装着されずにペン本体単体の状態（以下、「短尺状態」という）、およびペン本体に連結部、第１アームおよび第２アームが装着された状態（以下、「長尺状態」という）、に加え、ペン本体に連結部および第２アームが装着された状態（以下、「中間状態」という）での使用が可能となる。よって、電子ペンを使用できるシーンをより広げることが容易に可能となる。
【００１８】
［適用例６］上記適用例に係る電子ペンにおいて、前記ペン本体は、当該ペン本体に対する操作を受け付ける操作部を備え、前記連結部は、前記ペン本体に装着された状態で前記操作部を露出させるように形成されていることが好ましい。
【００１９】
この構成によれば、連結部は、ペン本体に装着された状態で操作部を露出させるように形成されているので、ペン本体は、連結部が装着されたままでの使用が可能となる。よって、連結部は、ペン本体に一度装着されれば、アーム部が装着されない場合でも取り外しが不要となり、アーム部を着脱する操作をより簡単なものとすることができる。また、ペン本体に対する連結部の着脱構造を着脱回数において耐久性を高めた構造にする必要がないので、連結部のより簡素な構造が図れる。
【図面の簡単な説明】
【００２０】
【図１】本実施形態の電子ペンの外観を示す斜視図。
【図２】本実施形態の電子ペンの分解斜視図。
【図３】本実施形態のペン本体、およびアタッチメントにおける連結部を分解した斜視図。
【図４】本実施形態のペン本体、および連結部を分解した斜視図。
【図５】本実施形態の連結部がペン本体に装着された状態を示す斜視図。
【図６】本実施形態の連結部をペン本体に装着する方法を説明するための斜視図。
【図７】本実施形態の連結部がペン本体に装着された状態の断面図。
【図８】本実施形態の電子ペンが載置された載置台を示す斜視図。
【図９】本実施形態の載置台の斜視図。
【発明を実施するための形態】
【００２１】
以下、本実施形態に係る電子ペンについて、図面を参照して説明する。
図１は、電子ペン１の外観を示す斜視図である。図２は、電子ペン１の分解斜視図である。
電子ペン１は、図１に示すように、筆記具を模して形成されたペン本体２と、ペン本体２に着脱自在に構成されたアタッチメント３とを備えている。
【００２２】
ペン本体２の一方の端部には、筆記具のペン先に相当する先端を有するペン先部材２１が設けられている。ペン先部材２１は、先端に向かう程細く形成されており、電子ペン１は、このペン先部材２１が押圧されることによって傾倒し、赤外線による信号を発する。
アタッチメント３は、図１、図２に示すように、連結部４およびアーム部７を備え、ペン本体２の先端とは反対側の後端側に着脱自在に取り付けられ、先端と反対方向に延出している。
【００２３】
図は省略するが、電子ペン１は、図示しないプロジェクターおよびＰＣ（Personal Computer）とで、またはプロジェクター単体で、プロジェクターによりホワイトボード等の投写面に投写される画像に対して、図形や文字等を重ねて表示できる表示システムを構成する。
例えば、プロジェクターは、投写面に押圧された電子ペン１から発せられた赤外線を検知し、赤外線の発信位置の軌跡に関する情報をＰＣに送信する。ＰＣは、受信した情報に基づいて赤外線の発信位置の解析を行い、画像情報にこの発信位置の軌跡を示す線を重畳した重畳画像を生成し、この重畳画像の画像情報をプロジェクターに送信する。そして、プロジェクターは、電子ペン１の軌跡を示す線が反映されたこの重畳画像を投写面に投影する。
【００２４】
本実施形態の電子ペン１は、投写面に近い位置から書き込む場合には、アタッチメント３をペン本体２に装着せずに使用し、投写面から離れた位置から書き込む際には、アタッチメント３をペン本体２に装着し、アタッチメント３を把持して書き込むことができるように構成されている。
【００２５】
〔ペン本体の主な構成〕
ここで、ペン本体２について説明する。
図３は、ペン本体２、およびアタッチメント３における連結部４を分解した斜視図である。なお、以下では、説明の便宜上、ペン本体２において、ペン先部材２１の先端を「ペン先」、ペン先とは反対側を「後端側」として記載する。
ペン本体２は、図３に示すように、略中心を通る中心軸Ａｘ方向に延出し、筆記具を模して形成されている。ペン本体２は、ペン先部材２１に加え、外装筐体２２、操作部としての電源スイッチ２３、残量表示部２４、および図示しない回路ユニット、発光部、スイッチ機構、電池を備えている。
【００２６】
ペン先部材２１は、前述したように、ペン先を形成する部材であり、図３に示すように、先端が曲面の略円錐形状を有し、内部が中空に形成されている。ペン先部材２１の内部には、発光部が配置され、発光部から発せられた赤外線は、ペン先部材２１を透過して外部に発せられる。
発光部は、赤外線を発する発光ダイオードで構成され、ペン先部材２１の傾倒に応じてスイッチ機構が動作し、回路ユニットに備えられた制御部の指示に基づいて赤外線を発する。
【００２７】
外装筐体２２は、図３に示すように、キャップ保持部材２２１、ケース本体２２２、電池カバー２２３、およびスイッチカバー２２４を備えている。
キャップ保持部材２２１は、ペン先部材２１を保持する部材であり、図３に示すように、ペン先部材２１の外面に倣う形状を有し、ペン先部材２１が螺合されて固定される。キャップ保持部材２２１は、ペン先部材２１が押圧されることによって、ペン先部材２１と共に傾倒する。このように、ペン先部材２１は、キャップ保持部材２２１に螺合によって取り付けられることで、交換可能に構成されている。
【００２８】
ケース本体２２２は、キャップ保持部材２２１の後端側に設けられ、スイッチ機構、電池、回路ユニット等を収納する。ケース本体２２２は、ペン先側がキャップ保持部材２２１に略倣う形状を有し、後端側が電池カバー２２３、およびスイッチカバー２２４とで、円筒状に形成されている。そして、スイッチ機構、電池、回路ユニットは、この順でペン先側から後端側に向かってケース本体２２２に配置される。
ケース本体２２２には、図３に示すように、後端側の外周面に、中心軸Ａｘに沿って膨出する膨出部２２２１が形成され、この膨出部２２２１には、ストラップ取付け用の挿通孔２２Ｈが設けられている。挿通孔２２Ｈは、ペン本体２の外部から係合可能な被係合部に相当する。なお、膨出部２２２１は、ペン本体２が机上等に載置された際にペン本体２の転がりを防止する機能も有している。
【００２９】
電池カバー２２３は、ケース本体２２２に収納された電池を覆うように、ケース本体２２２に着脱可能に配置される。電池カバー２２３の後端側には、図３に示すように、電池カバー２２３を開ける際に操作されるフック部２２３１が設けられている。
電池カバー２２３は、ケース本体２２２に装着された状態からフック部２２３１がペン先方向に押圧されると、ケース本体２２２から取り外され、電池の交換が可能となる。
【００３０】
スイッチカバー２２４は、ケース本体２２２に収納された回路ユニットを覆うように、ケース本体２２２に取り付けられる。スイッチカバー２２４は、図３に示すように、電源スイッチ２３が露出する開口部、および残量表示部２４が露出する開口部が形成されている。
【００３１】
回路ユニットは、ＣＰＵ（Central Processing Unit）等の制御部を構成する素子が実装された回路基板（図示省略）を有し、ペン先の反対側となるペン本体２の後端側に配置されている。
【００３２】
電源スイッチ２３は、フック部２２３１より後端側に配設され、電子ペン１の電源のオンとオフとを切り替える。本実施形態の電源スイッチ２３は、スライド式のものが採用され、回路ユニットに接続されている。
残量表示部２４は、電源スイッチ２３より後端側に配置され、発光ダイオードおよび導光体を備え、制御部の指示に基づいて電池の残容量の状態を表示する。
【００３３】
スイッチ機構は、発光部を発光させるスイッチとしての機能を有する。スイッチ機構は、詳細な説明は省略するが、キャップ保持部材２２１を介してペン先部材２１に接続されており、導電部材とこの導電部材に接触可能な複数のプローブとコイルバネを有している。スイッチ機構は、ペン先部材２１が押圧されることによって傾倒し、導電部材とプローブとの接触状態が変わる。
【００３４】
そして、ペン本体２によってホワイトボード等の投写面に筆記していない状態では、ペン先部材２１に対して中心軸Ａｘと交差する方向に押圧力が加えられていない状態であるため、ペン先部材２１は、中心軸Ａｘに対して傾倒することなく、中心軸Ａｘに沿った状態で維持される。この状態では、全てのプローブは、コイルバネによる付勢により、導電部材に当接している状態のため、制御部は、発光部を発光させない。
【００３５】
一方、電子ペン１によって投写面に筆記している状態では、ペン先部材２１に対して中心軸Ａｘと交差する方向に押圧力が与えられるため、ペン先部材２１は、コイルバネの付勢力に抗して、中心軸Ａｘに対して傾倒することとなる。この状態では、複数のプローブの少なくともいずれかは、導電部材から離れた状態となるため、制御部は、発光部を発光させる。
また、ペン本体２に受光部を設け、プロジェクターから発光（点滅）された赤外線をペン本体２で受光できる範囲では、発光部を常に発光（点滅）させ、ペン先部材２１が押圧され導電部材とプローブの接触状態が変わると、点滅の仕方を変えて接触していることをプロジェクターに伝えるようにすることもできる。
このように、ペン本体２は、ペン先部材２１の押圧によって、赤外線による信号の出力状態が変化する。なお、ペン本体２が出力する信号として、赤外線に限らず他の波長領域、例えば、超音波等による信号であってもよい。
【００３６】
〔アタッチメントの構成〕
次に、アタッチメント３について説明する。
アタッチメント３は、ペン本体２に着脱自在な連結部４、および連結部４に着脱自在なアーム部７を備えている。
先ず、連結部４について詳細に説明する。
連結部４は、ペン本体２とアーム部７とを連結する機能を有し、ペン本体２の後端側に着脱自在に構成されている。
図４は、図３とは反対側から見たペン本体２、および連結部４を分解した斜視図である。
図５は、連結部４がペン本体２に装着された連結部装着状態を示す斜視図であり、（ａ）は、ペン本体２の電源スイッチ２３側から見た図、（ｂ）は、（ａ）とは反対側から見た図である。
【００３７】
連結部４は、図５（ａ）に示すように、電源スイッチ２３および残量表示部２４を露出させるように形成され、フック部２２３１より後端側に装着される。
連結部４は、図３、図４に示すように、第１接続部５および第２接続部６を備えている。後で詳細に説明するが、連結部４は、第１接続部５にペン本体２の後端側が挿入され、第２接続部６に第１接続部５が挿入されることによって、ペン本体２に装着される。
【００３８】
第１接続部５は、中心軸Ａｘを中心とする円筒状に形成されており、一方の端部には、図４に示すように、ペン本体２の後端側が挿入される開口部５１が設けられ、他方の端部には、図３に示すように、中心軸Ａｘを中心とするネジ孔５Ｎが設けられている。第１接続部５は、本体部が合成樹脂で形成され、この本体部にネジ孔５Ｎが設けられた金属製の部材が圧入、あるいはインサート成形されて構成されている。なお、合成樹脂や金属等の１つの材料で第１接続部５を構成してもよい。
そして、このネジ孔５Ｎ近傍には、外周面が周囲より突出するフランジ部５２が設けられている。フランジ部５２の外径は、第２接続部６の外径と略同じ大きさに設定されている。
【００３９】
また、第１接続部５の側面には、図４に示すように、開口部５１に繋がり、ネジ孔５Ｎ側に延出する案内用開口部５３が設けられている。案内用開口部５３の縁部は、中心軸Ａｘに沿って形成されており、第１接続部５にペン本体２が挿入される際に、ペン本体２の膨出部２２２１が通過すると共に、第１接続部５が第２接続部６に挿入される際に、第２接続部６を案内する機能を有している。
【００４０】
そして、第１接続部５には、図４に示すように、この案内用開口部５３の対向する端面の内、一方の端面から他方の端面に向かって突出する係止用突起５Ｐが形成されている。この係止用突起５Ｐは、ペン本体２の膨出部２２２１に設けられた挿通孔２２Ｈに挿入可能に形成されており、被係合部としての挿通孔２２Ｈに係合する係合部に相当する。つまり、第１接続部５は、ペン本体２の後端側が挿入された後、回転されることによって、係止用突起５Ｐが挿通孔２２Ｈに挿入されるように形成されている。
【００４１】
また、第１接続部５の側面には、図３に示すように、電源スイッチ２３および残量表示部２４を露出させる平面視矩形状の開口部５４が設けられている。そして、開口部５１側の外周縁部には、外側に突出する突起部５Ｌａが形成され、開口部５４とフランジ部５２との間の側面には、両側にスリットを有し、円周方向に沿って形成された平面視長方形状のバネ部５５が形成されている。そして、バネ部５５外面の中央部には、突起部５Ｓが設けられている。また、図示は省略するが、バネ部５５の内面にも突起部が形成されている。
また、第１接続部５の側面には、図４に示すように、フランジ部近傍に外側に突出する突起部５Ｌｂが設けられている。
【００４２】
第２接続部６は、合成樹脂製で第１接続部５が挿入されるように、中心軸Ａｘを中心とする円筒状に形成されており、図４に示すように、外周面から膨出する膨出部６１が形成されている。
膨出部６１は、連結部４がペン本体２に装着された際に後端側となる縁部から中心軸Ａｘに沿って形成されており、ストラップ取付け用の挿通孔６１Ｈが設けられている。そして、膨出部６１の内面には、図３に示すように、ペン本体２の膨出部２２２１が挿入される案内溝６２が形成されている。なお、膨出部６１は、連結部４が装着されたペン本体２が机上等に載置された際の転がりを防止する機能も有している。なお、第２接続部６は、合成樹脂に限らず金属等で形成してもよい。
【００４３】
第２接続部６の内面には、図４に示すように、中心軸Ａｘ方向に沿って延出する案内用突起６３が形成されている。案内用突起６３は、第１接続部５の案内用開口部５３間に嵌合可能に形成されており、第１接続部５が第２接続部６に挿入される際に、第２接続部６は、この案内用突起６３が案内用開口部５３に案内される。
【００４４】
また、第２接続部６の側面には、開口部６４（図３参照）、およびスリット孔６５（図４参照）が設けられている。
開口部６４は、第１接続部５の開口部５４と略同じ大きさに形成され、開口部５４と共に電源スイッチ２３および残量表示部２４（図５参照）を露出させる。
【００４５】
スリット孔６５は、第１接続部５の突起部５Ｌｂに対応して設けられており、図５（ｂ）に示すように、後端側の縁部が突起部５Ｌｂに係合するように形成されている。なお、突起部５Ｌａは、第２接続部６のペン先側の縁部に係合するように形成されている。
そして、突起部５Ｓおよびバネ部５５の内面に設けられた突起部は、連結部４がペン本体２に装着された際に、突起部５Ｓが第２接続部６の内面に当接し、バネ部５５の内面に設けられた突起部がペン本体２に当接して、第１接続部５と第２接続部６との間、および第１接続部５とペン本体２との間でガタが生じることを抑制するように形成されている。
【００４６】
ここで、連結部４をペン本体２に装着する方法について説明する。
図６は、連結部４をペン本体２に装着する方法を説明するための斜視図である。
先ず、図６（ａ）に示すように、膨出部６１が後端側となるように、ペン本体２の後端側を第２接続部６に挿入する。
【００４７】
次に、膨出部２２２１が案内用開口部５３内に入るようにペン本体２の後端側を第１接続部５に挿入する。そして、第１接続部５の底面とペン本体２の後端が当接するまでペン本体２を挿入した後、ペン本体２または第１接続部５を回転して、図６（ｂ）に示すように、ペン本体２の挿通孔２２Ｈに係止用突起５Ｐを挿入する。この状態で、第１接続部５は、ペン本体２に対して中心軸Ａｘ方向の移動が規制された状態となる。
【００４８】
次に、ペン本体２に挿入されていた第２接続部６を後端側にスライドさせ、案内用突起６３を案内用開口部５３に嵌合させる。そして、第２接続部６をさらに後端側にスライドさせると、第２接続部６は、第１接続部５の突起部５Ｌａ，５Ｌｂに当接する。この第２接続部６が突起部５Ｌａ，５Ｌｂに当接した状態で第２接続部６を後端側に押圧すると、突起部５Ｌａは、第２接続部６のペン先側の縁部、突起部５Ｌｂは、スリット孔６５の縁部にそれぞれ係合し、第２接続部６は、第１接続部５に固定される。その結果、連結部４は、ペン本体２に装着された状態となる。
【００４９】
図７は、連結部４がペン本体２に装着された状態の後端側からみた断面図である。
第１接続部５は、図７に示すように、係止用突起５Ｐが挿通孔２２Ｈに挿入されるので、ペン本体２に対する中心軸Ａｘ方向の移動が規制される。第２接続部６は、第１接続部５の突起部５Ｌａ，５Ｌｂに係止しているので、ペン本体２に対する中心軸Ａｘ方向の移動が規制される。
【００５０】
そして、第２接続部６は、図７に示すように、案内溝６２にペン本体２の膨出部２２２１が挿入されているので、ペン本体２に対する中心軸Ａｘを中心とする回転方向の移動が規制される。第１接続部５は、案内用開口部５３に案内用突起６３が嵌合し、ペン本体２に対する中心軸Ａｘを中心とする回転方向の移動が規制されている第２接続部６に係合しているので、この回転方向の移動が規制されることとなる。
【００５１】
このように、係止用突起５Ｐ（係合部）は、ペン本体２に対する第１接続部５の移動により挿通孔２２Ｈ（被係合部）に係合し、第２接続部６は、ペン本体２に対する移動により第１接続部５に係合して第１接続部５の移動を規制する。
【００５２】
一方、ペン本体２に装着された連結部４を分解する場合には、先ず、第２接続部６をペン先側に押圧して突起部５Ｌａ，５Ｌｂとの係合を解除する。そして、第１接続部５を回転して、挿通孔２２Ｈから係止用突起５Ｐを抜出し、第１接続部５をペン本体２から取り外す。そして、第２接続部６をペン本体２から取り外す。
【００５３】
このように、連結部４は、第１接続部５および第２接続部６を移動させることにより、ペン本体２に対して着脱自在に構成されている。
【００５４】
次にアーム部７について説明する。
アーム部７は、連結部４のネジ孔５Ｎに螺合され、ペン先とは反対方向に延出する。
アーム部７は、図２に示すように、連結部４に順次接続される第１アーム７１および第２アーム７２を備えている。
【００５５】
第１アーム７１は、パイプ状に形成された第１アーム本体７１１、ネジ形成部７１２、およびネジ孔形成部７１３を有し、連結部４に着脱自在に構成されている。
第１アーム本体７１１は、アルミニウム等で形成されており、ペン本体２の後端側と同程度の外径で、ペン本体２より長く形成されている。なお、第１アーム本体７１１は、アルミニウムに限らず他の材料（例えば、合成樹脂等）を用いてもよい。
【００５６】
ネジ形成部７１２は、パイプ状の第１アーム本体の一方の端部に挿入可能に形成され、連結部４のネジ孔５Ｎに螺合されるネジ７１Ｓが設けられている。
ネジ孔形成部７１３は、パイプ状の第１アーム本体７１１の他方の端部に挿入可能に形成され、ネジ孔７１Ｎが設けられている。ネジ形成部７１２およびネジ孔形成部７１３は、第１アーム本体７１１に挿入された後、加締め等によって第１アーム本体７１１に固定される。なお、第１アーム本体７１１、ネジ形成部７１２、およびネジ孔形成部７１３を１つの部材で形成してもよい。
【００５７】
第２アーム７２は、第２アーム本体７２１、ネジ形成部７２２およびキャップ７２３を有し、第１アーム７１に着脱自在に構成されている。
第２アーム本体７２１は、第１アーム本体７１１と略同じ長さに形成され、第１アーム本体７１１と同程度の外径を有する延長部７２１１、延長部７２１１より外径が太い把持部７２１２、および延長部７２１１と把持部７２１２との間に位置する中央部７２１３を有している。
【００５８】
延長部７２１１は、パイプ状に形成されている。
ネジ形成部７２２は、延長部７２１１の端部に挿入可能に形成され、第１アーム７１のネジ孔７１Ｎに螺合されるネジ７２Ｓが設けられている。また、ネジ７２Ｓは、連結部４のネジ孔５Ｎにも螺合されるように形成されている。つまり、第２アーム７２は、連結部４とも着脱自在に形成されている。
【００５９】
把持部７２１２は、パイプ状に形成され、その外径は、延長部７２１１の外径より太く、膨出部６１を除く連結部４の外径より細く形成されている。
中央部７２１３は、外径が膨出部６１を除く連結部４の外径と同程度に形成されており、延長部７２１１との間には段差が形成され、把持部７２１２とは、滑らかに繋がるように形成されている。
【００６０】
キャップ７２３は、把持部７２１２の開口部を閉塞し、ユーザーが把持部７２１２の角部に触れないように形成されている。
また、アーム部７には、ネジ７１Ｓ，７２Ｓの基端側に、シリコンゴム等で形成されたリング状の伸縮部材７３が配置されおり、ネジの緩み防止が図られている。
【００６１】
このように、アーム部７は、連結部４に着脱自在に構成されている。そして、アーム部７は、連結部４に第１アーム７１および第２アーム７２が接続された長尺状態に加え、連結部４に第２アーム７２のみが接続されて、長尺状態より短い中間状態が可能に構成されている。
【００６２】
〔載置台の構成〕
ここで、本実施形態の電子ペン１を載置できる載置台について説明する。
図８は、電子ペン１が載置された載置台８を示す斜視図である。
載置台８は、図８に示すように、連結部４を係止して、電子ペン１を載置できるように形成されている。
図９は、載置台８の斜視図であり、（ａ）は表側から見た図、（ｂ）は裏側から見た図である。
【００６３】
載置台８は、図９に示すように、載置台本体９、磁石８１、および滑り止め部材８２を備え、磁石８１の磁力によって、金属を有するホワイトボード等への設置が可能に構成されている。
磁石８１および滑り止め部材８２は、図９（ｂ）に示すように、載置台本体９の裏側に取り付けられている。
滑り止め部材８２は、シリコン等のゴム部材で形成され、載置台８が磁石８１の磁力によって、ホワイトボート等に設置された際に、電子ペン１および載置台８の自重による載置台８の滑りを防止する機能を有している。
【００６４】
載置台本体９は、平面視長方形状の台座９１を有し、長手方向および短手方向において略対称に形成されている。
載置台本体９の表側には、図９（ａ）に示すように、台座９１から突出する一対の保持部９２、および一対の保持部９２間に形成された受部９３、支持部９４が設けられ、これらの部位９２〜９４が長手方向において略対称となるように２組形成されている。
【００６５】
ここでは１組の部位９２〜９４に注目して説明する。
一対の保持部９２は、短手方向において互いに対向し、互いの距離が基端側より先端側の方が短いように形成されている。そして、一対の保持部９２は、図８に示すように、この一対の保持部９２の間に連結部４が配置されるように形成されている。
【００６６】
受部９３は、図９（ａ）に示すように、一対の保持部９２間に形成されている。
支持部９４は、一対の保持部９２間の受部９３の一方の端部側（載置台本体９の中央部寄り）に設けられ、受部９３より突出して形成されている。
電子ペン１は、連結部４の側面（第２接続部６の側面）が受部９３に受けられ、連結部４とアーム部７との段差が支持部９４に支持されて載置台８に載置される。
【００６７】
そして、載置台８は、ペン本体２が上側、アーム部７が下側となる縦置き姿勢で電子ペン１を載置できると共に、電子ペン１が略水平となる横置き姿勢でも電子ペン１を載置できる。
また、膨出部６１を除く連結部４の外径がアーム部７の中央部７２１３の外径と略同等であることから、ペン本体２が下側、アーム部７が上側となる姿勢においても、載置台８は、支持部９４によって中央部７２１３を支持して、電子ペン１を載置することができる。
【００６８】
なお、磁石８１は、図９（ｂ）に示すように、長手方向に沿って２つ設けられており、滑り止め部材８２は、２つの磁石８１の外側に複数配置されている。そして、磁石および滑り止め部材は、載置台本体９の長手方向および短手方向において、略対称に配置され、一対の磁石の磁力がホワイトボード等に略均等に加わるように構成されている。
また、台座９１には、図９（ａ）に示すように、表側から裏側に貫通する一対の貫通孔９Ｈが形成されており、載置台８は、この貫通孔９Ｈにネジが挿通されることによって、他の部材への取り付けが可能に構成されている。
このように、電子ペン１は、連結部４あるいは中央部７２１３が支持部９４に係合されて載置台８に載置される。
【００６９】
以上説明したように、本実施形態によれば、以下の効果を得ることができる。
（１）電子ペン１は、着脱自在に構成されたアタッチメント３を備えているので、例えば、プロジェクターによって投写面に投写される画像に対して、図形や文字等を重ねて表示させるシステムにおいて、使用シーンを容易に広げることや、使い勝手を向上させる電子ペン１の提供が可能となる。すなわち、投写面に近い位置で電子ペン１を操作するようなシーンにおいては、短尺状態や連結部装着状態で電子ペン１を使用し、投写面に近い位置では画像の観察者から見て電子ペン１の操作者が陰になってしまうようなシーン等では、投写面から離れて中間状態や長尺状態で電子ペン１を使用することが容易に可能となる。
【００７０】
（２）電子ペン１は、アタッチメント３に信号を出力するための操作部がなく、ペン先部材２１が押圧されることによって信号を出力するように構成されている。これによって、アタッチメント３の把持の仕方に制約がなく、長尺状態であっても投写面に文字等の細かな書き込みが可能となる。また、ペン本体２とアタッチメント３との間に電気的な接続が不要となり、アタッチメント３を簡素な構造で形成することが可能となる。
【００７１】
（３）アタッチメント３は、連結部４およびアーム部７を備え、連結部４には、アーム部７が接続されるためのネジ孔５Ｎが設けられている。そして、連結部４は、ペン本体２に形成されているストラップ取付け用の挿通孔２２Ｈを利用してペン本体２に係合するように形成されている。つまり、アタッチメント３は、ペン本体２にアタッチメント３を接続するための形状を盛り込むことなく、ペン本体２に着脱可能となるように構成されている。これによって、ペン本体２の大型化や複雑な形状の抑制が可能となると共に、すでに販売されているペン本体２に対しても、容易に接続可能なアタッチメント３の提供が図れる。
また、連結部４は、係止用突起５Ｐが挿通孔２２Ｈに挿入するという構造なので、ペン本体２から脱落することなく、ペン本体２に対する確実な装着が可能となる。
【００７２】
（４）係止用突起５Ｐ（係合部）は、ペン本体２に対する第１接続部５の回転により挿通孔２２Ｈ（被係合部）に係合し、第２接続部６は、ペン本体２に対するスライドにより第１接続部５に係合して第１接続部の移動を規制するように形成されている。これによって、第１接続部５および第２接続部６を移動することで、ペン本体２への連結部４の容易な着脱が可能となる。よって、簡素な構成で、また、ペン本体２への着脱を容易に操作できる連結部４が可能となる。
【００７３】
（５）第２アーム７２は、連結部４に着脱自在に構成されているので、電子ペン１は、短尺状態、連結部装着状態、および長尺状態、に加え、中間状態での使用が可能に構成されている。よって、電子ペン１を使用できるシーンをより広げることが容易に可能となる。
【００７４】
（６）連結部４は、ペン本体２に装着された状態で電源スイッチ２３および残量表示部２４を露出させたうえ、電池交換が可能に形成されているので、ペン本体２は、連結部４が装着されたままでの使用が可能となる。よって、連結部４は、ペン本体２に一度装着されれば、アーム部７が装着されない場合でも取り外しが不要となり、アーム部７を着脱する操作をより簡単なものとすることができる。また、ペン本体２に対する連結部４の着脱構造を、着脱回数において耐久性（突起部５Ｌａ，５Ｌｂ等の耐久）を高めた構造にする必要がないので、連結部４のより簡素な構造が図れる。
【００７５】
（７）載置台８は、中間状態および長尺状態の電子ペン１を載置できるので、使用しない際に乱雑となりがちな電子ペン１を整頓できると共に、整頓することによって電子ペン１の損傷を抑制することが可能となる。
【００７６】
（変形例）
なお、前記実施形態は、以下のように変更してもよい。
前記実施形態の第１アーム７１、第２アーム７２は、それぞれ１つで構成されているが２つ以上で構成してもよい。
また、第１接続部５と第１アーム７１とを一体的に形成してもよい。
【００７７】
第１アーム本体７１１や第２アーム本体７２１を透明の部材で形成してもよい。これによって、投写面に投写された画像を観察する観察者から見て、第１アーム本体７１１、第２アーム本体７２１が投写された画像を遮ることが抑制される。
【００７８】
前記実施形態のアタッチメント３は、連結部４、第１アーム７１および第２アーム７２が螺合によって接続されるように構成されているが、螺合に限らず他の構造で接続されるように構成してもよい。例えば、一方の部材に付勢されたフックを設け、他方の部材にフックに係合可能な係止部を設け、このフックと係止部が係合することにより双方の部材が接続され、フックが押圧されると係合が解除されて双方の部材が分解されるように構成してもよい。
【００７９】
また、アーム部７を外径が異なる複数の部材から構成されるロッドアンテナ状に形成し、伸縮可能となるように構成してもよい。この構成の場合、連結部４に接続される部材より操作者の手元側となる部材が太くなるように構成することで、操作者に把持しやすい形状や、手元側を重くできることによる安定した操作が可能となるアタッチメントが図れる。
【００８０】
前記実施形態では、連結部４にアーム部７が接続されるためのネジ孔５Ｎは、第１接続部５に設けられているが、第２接続部６に設けるように構成してもよい。
【００８１】
前記実施形態では、第１接続部５は、回転によって係止用突起５Ｐが挿通孔２２Ｈに挿入されるように構成されているが、回転に限らず、例えば、ペン本体２の側方からのスライドによって、係止用突起５Ｐが挿通孔２２Ｈに挿入されるように、第１接続部５を構成してもよい。
また、第２接続部６は、中心軸Ａｘ方向のスライドによって、第１接続部５の回転を規制するように構成されているが、中心軸Ａｘ方向のスライドに限らず、例えば、ペン本体２の側方からのスライドや中心軸Ａｘを中心とする回転することによって、第１接続部５の移動を規制するように構成してもよい。
【００８２】
ペン本体２に装着される連結部の構成として、ペン本体２の後端側を挟持する状態と、挟持する状態が開放される状態とが可能となるように連結部を構成してもよい。
【符号の説明】
【００８３】
１…電子ペン、２…ペン本体、３…アタッチメント、４…連結部、５…第１接続部、５Ｎ…ネジ孔、５Ｐ…係止用突起、６…第２接続部、７…アーム部、８…載置台、２１…ペン先部材、２２Ｈ…挿通孔、２３…電源スイッチ、２４…残量表示部、５３…案内用開口部、５４，６４…開口部、６２…案内溝、６３…案内用突起、７１…第１アーム、７２…第２アーム。
【図１】
2014038530.tif 000003
【図２】
2014038530.tif 000004
【図３】
2014038530.tif 000005
【図４】
2014038530.tif 000006
【図５】
2014038530.tif 000007
【図６】
2014038530.tif 000008
【図７】
2014038530.tif 000009
【図８】
2014038530.tif 000010
【図９】
2014038530.tif 000011